(57)【要約】【課題】被包装物を収納する身として使用する容器体と該容器体の蓋として使用する容器体とを有する包装容器で、２つの容器体が分離可能で、かつ、各容器体が身と蓋とを有する容器状になって包装状態とすることができる包装容器を提供する。【解決手段】包装容器Ａは、容器体１と容器体２とを有し、容器体１と容器体２とは同一の構成で、主板部３と、前面部４と、側面部５と、後板部６と、側面部７とを有し、主板部３と側面部５、７は、いずれも折れ線を介して３つの領域に区画され、前面部４には、他方の容器体の係止舌片２７を係止するための被係止部２９が設けられ、係止舌片２７を有する回動片部４ｃが設けられている。後面部６には、容器体を１つの包装容器として使用する場合に、係止舌片２７を係止するための被係止部３０が設けられている。【選択図】図４
2014162547.tif 000002
【特許請求の範囲】
【請求項１】
第１容器体と、第１容器体と同一の構成の第２容器体とを有し、１枚のシート状のブランクにより形成された包装容器であって、
第１容器体と第２容器体のそれぞれが、
方形状の主板部で、主板部の正面側の辺部及び背面側の辺部と平行に形成された第１折れ線と第１折れ線と平行に形成された第２折れ線とが形成され、主板部の正面側の辺部と第１折れ線間の長さと主板部の背面側の辺部と第２折れ線間の長さとが略同一に形成された主板部と、
主板部の正面側の辺部から連設された前面部で、主板部の正面側の辺部から連設された主構成部で、他の容器体の係止舌片を係止するための被係止部が形成された主構成部と、主構成部の主板部側とは反対側の端部に折れ線を介して回動自在の回動片部で、主構成部側に係止舌片を有する回動片部とを有する前面部と、
主板部の正面側の辺部に隣接した２つの辺部のうちの一方の辺部から連設された第１側面部で、第１折れ線から連続して形成された第３折れ線と第２折れ線から連続して形成された第４折れ線とが形成され、第３折れ線と第４折れ線とは、第３折れ線と第４折れ線間の長さが主板部からの距離が長くなるに従い短くなるように傾斜するとともに、第３折れ線と第４折れ線が線対称となるように形成され、第３折れ線よりも正面側の領域である第１領域と、第３折れ線と第４折れ線の間の領域である第２領域と、第４折れ線よりも背面側の領域である第３領域とに区画され、第１領域における主板部側の端部である基端から先端までの幅が、第３領域における主板部側の端部である基端から先端までの幅よりも長く形成された第１側面部と、
主板部の正面側の辺部に隣接した２つの辺部のうちの他方の辺部から連設され、主板部を介して第１側面部と点対称に形成された第２側面部で、第１折れ線から連続して形成された第５折れ線と第２折れ線から連続して形成された第６折れ線とが形成され、第５折れ線と第６折れ線とは、第５折れ線と第６折れ線間の長さが主板部からの距離が長くなるに従い短くなるように傾斜するとともに、第５折れ線と第６折れ線が線対称となるように形成され、第６折れ線よりも背面側の領域である第１領域と、第５折れ線と第６折れ線の間の領域である第２領域と、第５折れ線よりも正面側の領域である第３領域とに区画され、第１領域における主板部側の端部である基端から先端までの幅が、第３領域における主板部側の端部である基端から先端までの幅よりも長く形成された第２側面部と、
主板部の背面側の辺部から連設され、前面部の係止舌片を係止するための被係止部が形成された後面部と、
を有し、
後面部における主板部側の端部である基端から先端までの幅と、第１側面部の第３領域及び第２側面部の第３領域における主板部側の端部である基端から先端までの幅とが略同一に形成され、前面部の主構成部における主板部側の端部である基端から先端までの幅は、後面部における主板部側の端部である基端から先端までの幅よりも長く形成され、
前面部と一対の側面部と後面部において、主板部から伸びる両側の辺部が主板部の辺部に対して鈍角をなすことにより、前面部と一対の側面部と後面部とが主板部に対して外側に傾斜して形成され、
第１容器体と第２容器体とが、後面部の先端辺部で連設され、該先端辺部に沿って切目線が形成され、
包装容器を１つの容器として使用する場合には、第１容器体と第２容器体とを対向して重ね合わせ、一方の容器体の前面部を他方の容器体の前面部に被せた状態とし、一方の容器体の前面部の回動片部に設けられた係止舌片を他方の容器体の前面部の被係止部に係止することにより、包装容器を包装状態とし、包装容器の包装状態においては、両側の側面において、一方の容器体の第１側面部の第１領域と他方の容器体の第２側面部の第３領域とが、一方の容器体の第１側面部の第１領域が他方の容器体の第２側面部の第３領域の外側に被さった状態で対向するとともに、一方の容器体の第２側面部の第１領域と他方の容器体の第１側面部の第３領域とが、一方の容器体の第２側面部の第１領域が他方の容器体の第１側面部の第３領域の外側に被さった状態で対向し、他方の容器体の第１側面部の第１領域と一方の容器体の第２側面部の第３領域とが、他方の容器体の第１側面部の第１領域が一方の容器体の第２側面部の第３領域の外側に被さった状態で対向するとともに、他方の容器体の第２側面部の第１領域と一方の容器体の第１側面部の第３領域とが、他方の容器体の第２側面部の第１領域が一方の容器体の第１側面部の第３領域の外側に被さった状態で対向し、
切目線を破断することにより第１容器体と第２容器体を分離して各容器体を１つの容器として使用する場合には、前面部を後面部側に回動させて、主板部の第１領域と第１側面部の第１領域と第２側面部の第３領域とからなる第１容器半体を主板部の第３領域と第１側面部の第３領域と第２側面部の第１領域とからなる第２容器半体に対向して重ね合わせ、前面部を後面部に被せた状態とし、前面部の回動片部に設けられた係止舌片を後面部の被係止部に係止することにより、容器体を包装状態とし、容器体の包装状態においては、第１側面部の第１領域と第１側面部の第３領域とが、第１側面部の第１領域が第１側面部の第３領域の外側に被さった状態で対向し、第２側面部の第１領域と第２側面部の第３領域とが、第２側面部の第１領域が第２側面部の第３領域の外側に被さった状態で対向し、第１側面部の第２領域及び第２側面部の第２領域は、主板部の第２領域に対して外側の折曲された状態となることを特徴とする包装容器。
【請求項２】
前面部の回動片部における係止舌片は、回動片部と主構成部間の一対の折れ線の間に主構成部側に突出した形状の切込みを形成することにより設けられていることを特徴とする請求項１に記載の包装容器。
【請求項３】
前面部は、主板部の正面側の辺部から連設された前面部本体と、前面部本体の主板部側とは反対側の辺部から折れ線を介して連設された帯状部とを有し、前面部本体における主板部側の端部である基端から先端までの幅は、後面部における主板部側の端部である基端から先端までの幅と略同一であり、主構成部に形成された被係止部は、前面部本体に形成され、係止舌片を形成するための切込みは、帯状部との境界位置に形成されていることを特徴とする請求項２に記載の包装容器。
【請求項４】
第１容器体と、第１容器体と同一の構成の第２容器体とを有し、１枚のシート状のブランクにより形成された包装容器であって、
第１容器体と第２容器体のそれぞれが、
方形状の主板部で、主板部の正面側の辺部及び背面側の辺部と平行に形成された第１折れ線と第１折れ線と平行に形成された第２折れ線とが形成され、主板部の正面側の辺部と第１折れ線間の長さと主板部の背面側の辺部と第２折れ線間の長さとが略同一に形成された主板部と、
主板部の正面側の辺部から連設された前面部で、主板部の正面側の辺部から連設された前面部本体で、他の容器体の係止舌片を係止するための被係止部が形成された前面部本体と、前面部本体の主板部側とは反対側の辺部から折れ線を介して連設された帯状部と、帯状部の前面部本体側とは反対側の端部に一対の折れ線を介して回動自在の回動片部で、一対の折れ線の間に帯状部側に突出した形状の切込みを形成することにより設けられた係止舌片を有する回動片部とを有する前面部と、
主板部の正面側の辺部に隣接した２つの辺部のうちの一方の辺部から連設された第１側面部で、第１折れ線から連続して形成された第３折れ線と第２折れ線から連続して形成された第４折れ線とが形成され、第３折れ線と第４折れ線とは、第３折れ線と第４折れ線間の長さが主板部からの距離が長くなるに従い短くなるように傾斜するとともに、第３折れ線と第４折れ線が線対称となるように形成され、第３折れ線よりも正面側の領域である第１領域と、第３折れ線と第４折れ線の間の領域である第２領域と、第４折れ線よりも背面側の領域である第３領域とに区画され、第１領域における主板部側の端部である基端から先端までの幅が、第３領域における主板部側の端部である基端から先端までの幅よりも長く形成された第１側面部と、
主板部の正面側の辺部に隣接した２つの辺部のうちの他方の辺部から連設され、主板部を介して第１側面部と点対称に形成された第２側面部で、第１折れ線から連続して形成された第５折れ線と第２折れ線から連続して形成された第６折れ線とが形成され、第５折れ線と第６折れ線とは、第５折れ線と第６折れ線間の長さが主板部からの距離が長くなるに従い短くなるように傾斜するとともに、第５折れ線と第６折れ線が線対称となるように形成され、第６折れ線よりも背面側の領域である第１領域と、第５折れ線と第６折れ線の間の領域である第２領域と、第５折れ線よりも正面側の領域である第３領域とに区画され、第１領域における主板部側の端部である基端から先端までの幅が、第３領域における主板部側の端部である基端から先端までの幅よりも長く形成された第２側面部と、
主板部の背面側の辺部から連設され、前面部の係止舌片を係止するための被係止部が形成された後面部と、
を有し、
前面部本体における主板部側の端部である基端から先端までの幅と、後面部における主板部側の端部である基端から先端までの幅と、第１側面部の第３領域及び第２側面部の第３領域における主板部側の端部である基端から先端までの幅とが略同一に形成され、
前面部と一対の側面部と後面部において、主板部から伸びる両側の辺部が主板部の辺部に対して鈍角をなすことにより、前面部と一対の側面部と後面部とが主板部に対して外側に傾斜して形成され、
第１容器体と第２容器体とが、後面部の先端辺部で連設され、該先端辺部に沿って切目線が形成され、
包装容器を１つの容器として使用する場合には、第１容器体と第２容器体とを対向して重ね合わせ、一方の容器体の前面部を他方の容器体の前面部に被せた状態とし、一方の容器体の前面部の回動片部に設けられた係止舌片を他方の容器体の前面部の被係止部に係止することにより、包装容器を包装状態とし、包装容器の包装状態においては、両側の側面において、一方の容器体の第１側面部の第１領域と他方の容器体の第２側面部の第３領域とが、一方の容器体の第１側面部の第１領域が他方の容器体の第２側面部の第３領域の外側に被さった状態で対向するとともに、一方の容器体の第２側面部の第１領域と他方の容器体の第１側面部の第３領域とが、一方の容器体の第２側面部の第１領域が他方の容器体の第１側面部の第３領域の外側に被さった状態で対向し、他方の容器体の第１側面部の第１領域と一方の容器体の第２側面部の第３領域とが、他方の容器体の第１側面部の第１領域が一方の容器体の第２側面部の第３領域の外側に被さった状態で対向するとともに、他方の容器体の第２側面部の第１領域と一方の容器体の第１側面部の第３領域とが、他方の容器体の第２側面部の第１領域が一方の容器体の第１側面部の第３領域の外側に被さった状態で対向し、
切目線を破断することにより第１容器体と第２容器体を分離して各容器体を１つの容器として使用する場合には、前面部を後面部側に回動させて、主板部の第１領域と第１側面部の第１領域と第２側面部の第３領域とからなる第１容器半体を主板部の第３領域と第１側面部の第３領域と第２側面部の第１領域とからなる第２容器半体に対向して重ね合わせ、前面部を後面部に被せた状態とし、前面部の回動片部に設けられた係止舌片を後面部の被係止部に係止することにより、容器体を包装状態とし、容器体の包装状態においては、第１側面部の第１領域と第１側面部の第３領域とが、第１側面部の第１領域が第１側面部の第３領域の外側に被さった状態で対向し、第２側面部の第１領域と第２側面部の第３領域とが、第２側面部の第１領域が第２側面部の第３領域の外側に被さった状態で対向し、第１側面部の第２領域及び第２側面部の第２領域は、主板部の第２領域に対して外側の折曲された状態となることを特徴とする包装容器。
【請求項５】
前面部と第１側面部のいずれか一方から第１糊代部が連設され、第１糊代部が前面部と第１側面部の他方に接着され、前面部と第２側面部のいずれか一方から第２糊代部が連設され、第２糊代部が前面部と第２側面部の他方に接着され、後面部と第１側面部のいずれか一方から第３糊代部が連設され、第３糊代部が後面部と第１側面部の他方に接着され、後面部と第２側面部のいずれか一方から第４糊代部が連設され、第４糊代部が後面部と第２側面部の他方に接着されていることを特徴とする請求項１又は２又は３又は４に記載の包装容器。
【発明の詳細な説明】
【技術分野】
【０００１】
従来より、ハンバーガー等の加工食品を収容する容器として、正方形に形成した平板の上下辺に所定位置に係合孔を形成した台形状の側板を夫々屈曲線を介して連設し、且つ前記平板の左右辺に台形状の側板及びこの側板と連設された係止舌片を有する折曲板を夫々折曲線を介して連設すると共に、前記上下辺に連設した側板と左右辺に連設した側板とを貼着して紙容器を形成し、このような紙容器の二つを互いに開放部を対向させると共に係止孔と係止舌片とを対向させ、前記係止舌片を係止孔に挿入して組み合わせてなる紙容器があった（特許文献１）。
【０００２】
また、切り取りミシン目で形成されるヒンジ部を介して周壁が外方に末広がりとなる蓋部と本体とが連接されており、前記ヒンジ部が切り取りミシン目により蓋部と本体に切断されて、それぞれトレーとして使用できる紙製容器において、前記蓋部の前壁を前記本体の前壁より深く、前記本体の左右側壁を前記蓋部の左右側壁より深くし、蓋部の左右側壁をそれぞれ本体の左右側壁の内側に、また蓋部の前壁を本体の前壁の外側に位置するように、前記蓋部と本体の各前壁と各左右側壁が互い違いに嵌合されることを特徴とする紙製容器があった（特許文献２）。
【０００３】
そして、これら従来の容器は、例えば、フライドポテト、チキンナゲット等の食品が収納されている場合等に、例えば、複数人で分け合いながら食するために、蓋部と本体とを分離させて、夫々個別にトレーとして使用することも出来た。
【０００４】
また、出願人は、特許文献３に記載の包装容器連接体を知得している。すなわち、特許文献３に記載の包装容器連接体には、基板と基板から立ち上がる４つの側壁を備える第１の包装容器と第２の包装容器とが１つの側壁の頂部で連結した構成となっている。
【先行技術文献】
【特許文献】
【０００５】
【特許文献１】実開平４−１６１３２号公報
【特許文献２】実用新案登録第２６０４３５９号公報
【特許文献３】特開２０１２−１４８８１８号公報
【発明の概要】
【発明が解決しようとする課題】
【０００６】
しかし、特許文献１と特許文献２の容器はともに２つの容器に分離することができ、２つの容器をトレー状の容器として使用することができるが、各トレー状の容器を身と蓋とを有する容器状とすることができず、例えば、２つのトレー状の容器に取り分けた食品を食べ残した場合に、各トレー状の容器を身と蓋とを有する容器状にすることにより包装状態にして持ち運ぶことができないという問題があった。
【０００７】
また、特許文献３の包装容器連接体では、２つの容器に分離することができ、２つの容器をトレー状の容器として使用することができるが、そもそも包装容器を連結した状態で、１つの容器として使用することができないという問題があった。
【０００８】
そこで、本発明は、被包装物を収納する身として使用する容器体と該容器体の蓋として使用する容器体とを有し、蓋付きの包装容器として使用する包装容器で、２つの容器体が分離可能で、かつ、各容器体が身と蓋とを有する蓋付きの容器として使用できる包装容器を提供することを目的とする。
【課題を解決するための手段】
【０００９】
本発明は上記問題点を解決するために創作されたものであって、第１には、第１容器体と、第１容器体と同一の構成の第２容器体とを有し、１枚のシート状のブランクにより形成された包装容器であって、第１容器体と第２容器体のそれぞれが、方形状の主板部で、主板部の正面側の辺部及び背面側の辺部と平行に形成された第１折れ線と第１折れ線と平行に形成された第２折れ線とが形成され、主板部の正面側の辺部と第１折れ線間の長さと主板部の背面側の辺部と第２折れ線間の長さとが略同一に形成された主板部と、主板部の正面側の辺部から連設された前面部で、主板部の正面側の辺部から連設された主構成部で、他の容器体の係止舌片を係止するための被係止部が形成された主構成部と、主構成部の主板部側とは反対側の端部に折れ線を介して回動自在の回動片部で、主構成部側に係止舌片を有する回動片部とを有する前面部と、主板部の正面側の辺部に隣接した２つの辺部のうちの一方の辺部から連設された第１側面部で、第１折れ線から連続して形成された第３折れ線と第２折れ線から連続して形成された第４折れ線とが形成され、第３折れ線と第４折れ線とは、第３折れ線と第４折れ線間の長さが主板部からの距離が長くなるに従い短くなるように傾斜するとともに、第３折れ線と第４折れ線が線対称となるように形成され、第３折れ線よりも正面側の領域である第１領域と、第３折れ線と第４折れ線の間の領域である第２領域と、第４折れ線よりも背面側の領域である第３領域とに区画され、第１領域における主板部側の端部である基端から先端までの幅が、第３領域における主板部側の端部である基端から先端までの幅よりも長く形成された第１側面部と、主板部の正面側の辺部に隣接した２つの辺部のうちの他方の辺部から連設され、主板部を介して第１側面部と点対称に形成された第２側面部で、第１折れ線から連続して形成された第５折れ線と第２折れ線から連続して形成された第６折れ線とが形成され、第５折れ線と第６折れ線とは、第５折れ線と第６折れ線間の長さが主板部からの距離が長くなるに従い短くなるように傾斜するとともに、第５折れ線と第６折れ線が線対称となるように形成され、第６折れ線よりも背面側の領域である第１領域と、第５折れ線と第６折れ線の間の領域である第２領域と、第５折れ線よりも正面側の領域である第３領域とに区画され、第１領域における主板部側の端部である基端から先端までの幅が、第３領域における主板部側の端部である基端から先端までの幅よりも長く形成された第２側面部と、主板部の背面側の辺部から連設され、前面部の係止舌片を係止するための被係止部が形成された後面部と、を有し、後面部における主板部側の端部である基端から先端までの幅と、第１側面部の第３領域及び第２側面部の第３領域における主板部側の端部である基端から先端までの幅とが略同一に形成され、前面部の主構成部における主板部側の端部である基端から先端までの幅は、後面部における主板部側の端部である基端から先端までの幅よりも長く形成され、前面部と一対の側面部と後面部において、主板部から伸びる両側の辺部が主板部の辺部に対して鈍角をなすことにより、前面部と一対の側面部と後面部とが主板部に対して外側に傾斜して形成され、第１容器体と第２容器体とが、後面部の先端辺部で連設され、該先端辺部に沿って切目線が形成され、包装容器を１つの容器として使用する場合には、第１容器体と第２容器体とを対向して重ね合わせ、一方の容器体の前面部を他方の容器体の前面部に被せた状態とし、一方の容器体の前面部の回動片部に設けられた係止舌片を他方の容器体の前面部の被係止部に係止することにより、包装容器を包装状態とし、包装容器の包装状態においては、両側の側面において、一方の容器体の第１側面部の第１領域と他方の容器体の第２側面部の第３領域とが、一方の容器体の第１側面部の第１領域が他方の容器体の第２側面部の第３領域の外側に被さった状態で対向するとともに、一方の容器体の第２側面部の第１領域と他方の容器体の第１側面部の第３領域とが、一方の容器体の第２側面部の第１領域が他方の容器体の第１側面部の第３領域の外側に被さった状態で対向し、他方の容器体の第１側面部の第１領域と一方の容器体の第２側面部の第３領域とが、他方の容器体の第１側面部の第１領域が一方の容器体の第２側面部の第３領域の外側に被さった状態で対向するとともに、他方の容器体の第２側面部の第１領域と一方の容器体の第１側面部の第３領域とが、他方の容器体の第２側面部の第１領域が一方の容器体の第１側面部の第３領域の外側に被さった状態で対向し、切目線を破断することにより第１容器体と第２容器体を分離して各容器体を１つの容器として使用する場合には、前面部を後面部側に回動させて、主板部の第１領域と第１側面部の第１領域と第２側面部の第３領域とからなる第１容器半体を主板部の第３領域と第１側面部の第３領域と第２側面部の第１領域とからなる第２容器半体に対向して重ね合わせ、前面部を後面部に被せた状態とし、前面部の回動片部に設けられた係止舌片を後面部の被係止部に係止することにより、容器体を包装状態とし、容器体の包装状態においては、第１側面部の第１領域と第１側面部の第３領域とが、第１側面部の第１領域が第１側面部の第３領域の外側に被さった状態で対向し、第２側面部の第１領域と第２側面部の第３領域とが、第２側面部の第１領域が第２側面部の第３領域の外側に被さった状態で対向し、第１側面部の第２領域及び第２側面部の第２領域は、主板部の第２領域に対して外側の折曲された状態となることを特徴とする。
【００１０】
第１の構成の包装容器においては、包装容器は、第１容器体及び第２容器体の一方を包装物を収納する身として使用する容器体として使用し、他方を該容器体の蓋として使用することができるので、１つの蓋付きの容器として使用できるとともに、２つの容器体が分離可能で、かつ、各容器体が身と蓋とを有する蓋付きの容器として使用することができ、包装容器に収納された被包装物を２つの容器体に取り分け、容器体と容器体とをそれぞれ身と蓋とを有する容器状として包装状態にして持ち運ぶことが可能となる。
【００１１】
また、包装容器を１つの容器として使用する場合には、一方の容器体の第１側面部の第１領域と他方の容器体の第２側面部の第３領域とが、一方の容器体の第１側面部の第１領域が他方の容器体の第２側面部の第３領域の外側に被さった状態で対向するとともに、一方の容器体の第２側面部の第１領域と他方の容器体の第１側面部の第３領域とが、一方の容器体の第２側面部の第１領域が他方の容器体の第１側面部の第３領域の外側に被さった状態で対向し、他方の容器体の第１側面部の第１領域と一方の容器体の第２側面部の第３領域とが、他方の容器体の第１側面部の第１領域が一方の容器体の第２側面部の第３領域の外側に被さった状態で対向するとともに、他方の容器体の第２側面部の第１領域と一方の容器体の第１側面部の第３領域とが、他方の容器体の第２側面部の第１領域が一方の容器体の第１側面部の第３領域の外側に被さった状態で対向するので、第１側面部と第２側面部が噛み合う状態となり、強固に嵌合される。
【００１２】
また、前面部の幅が、後面部や第３領域の幅よりも長く形成されているので、一方の前面部が他方の前面部に覆い重なり、封止を確実にすることができる。
【００１３】
また、第２には、上記第１の構成において、前面部の回動片部における係止舌片は、回動片部と主構成部間の一対の折れ線の間に主構成部側に突出した形状の切込みを形成することにより設けられていることを特徴とする。
【００１４】
また、第３には、上記第２の構成において、前面部は、主板部の正面側の辺部から連設された前面部本体と、前面部本体の主板部側とは反対側の辺部から折れ線を介して連設された帯状部とを有し、前面部本体における主板部側の端部である基端から先端までの幅は、後面部における主板部側の端部である基端から先端までの幅と略同一であり、主構成部に形成された被係止部は、前面部本体に形成され、係止舌片を形成するための切込みは、帯状部との境界位置に形成されていることを特徴とする。
【００１５】
よって、帯状部が設けられているので、包装容器を包装状態とした場合には、帯状部が他方の前面部の外側の面に接し、特に、帯状部が前面部本体に対して折曲するので、帯状部が外側の面に平行に該外側の面に接するので、前面側の封止を確実にすることができる。
【００１６】
また、第４には、第１容器体と、第１容器体と同一の構成の第２容器体とを有し、１枚のシート状のブランクにより形成された包装容器であって、第１容器体と第２容器体のそれぞれが、方形状の主板部で、主板部の正面側の辺部及び背面側の辺部と平行に形成された第１折れ線と第１折れ線と平行に形成された第２折れ線とが形成され、主板部の正面側の辺部と第１折れ線間の長さと主板部の背面側の辺部と第２折れ線間の長さとが略同一に形成された主板部と、主板部の正面側の辺部から連設された前面部で、主板部の正面側の辺部から連設された前面部本体で、他の容器体の係止舌片を係止するための被係止部が形成された前面部本体と、前面部本体の主板部側とは反対側の辺部から折れ線を介して連設された帯状部と、帯状部の前面部本体側とは反対側の端部に一対の折れ線を介して回動自在の回動片部で、一対の折れ線の間に帯状部側に突出した形状の切込みを形成することにより設けられた係止舌片を有する回動片部とを有する前面部と、主板部の正面側の辺部に隣接した２つの辺部のうちの一方の辺部から連設された第１側面部で、第１折れ線から連続して形成された第３折れ線と第２折れ線から連続して形成された第４折れ線とが形成され、第３折れ線と第４折れ線とは、第３折れ線と第４折れ線間の長さが主板部からの距離が長くなるに従い短くなるように傾斜するとともに、第３折れ線と第４折れ線が線対称となるように形成され、第３折れ線よりも正面側の領域である第１領域と、第３折れ線と第４折れ線の間の領域である第２領域と、第４折れ線よりも背面側の領域である第３領域とに区画され、第１領域における主板部側の端部である基端から先端までの幅が、第３領域における主板部側の端部である基端から先端までの幅よりも長く形成された第１側面部と、主板部の正面側の辺部に隣接した２つの辺部のうちの他方の辺部から連設され、主板部を介して第１側面部と点対称に形成された第２側面部で、第１折れ線から連続して形成された第５折れ線と第２折れ線から連続して形成された第６折れ線とが形成され、第５折れ線と第６折れ線とは、第５折れ線と第６折れ線間の長さが主板部からの距離が長くなるに従い短くなるように傾斜するとともに、第５折れ線と第６折れ線が線対称となるように形成され、第６折れ線よりも背面側の領域である第１領域と、第５折れ線と第６折れ線の間の領域である第２領域と、第５折れ線よりも正面側の領域である第３領域とに区画され、第１領域における主板部側の端部である基端から先端までの幅が、第３領域における主板部側の端部である基端から先端までの幅よりも長く形成された第２側面部と、主板部の背面側の辺部から連設され、前面部の係止舌片を係止するための被係止部が形成された後面部と、を有し、前面部本体における主板部側の端部である基端から先端までの幅と、後面部における主板部側の端部である基端から先端までの幅と、第１側面部の第３領域及び第２側面部の第３領域における主板部側の端部である基端から先端までの幅とが略同一に形成され、前面部と一対の側面部と後面部において、主板部から伸びる両側の辺部が主板部の辺部に対して鈍角をなすことにより、前面部と一対の側面部と後面部とが主板部に対して外側に傾斜して形成され、第１容器体と第２容器体とが、後面部の先端辺部で連設され、該先端辺部に沿って切目線が形成され、包装容器を１つの容器として使用する場合には、第１容器体と第２容器体とを対向して重ね合わせ、一方の容器体の前面部を他方の容器体の前面部に被せた状態とし、一方の容器体の前面部の回動片部に設けられた係止舌片を他方の容器体の前面部の被係止部に係止することにより、包装容器を包装状態とし、包装容器の包装状態においては、両側の側面において、一方の容器体の第１側面部の第１領域と他方の容器体の第２側面部の第３領域とが、一方の容器体の第１側面部の第１領域が他方の容器体の第２側面部の第３領域の外側に被さった状態で対向するとともに、一方の容器体の第２側面部の第１領域と他方の容器体の第１側面部の第３領域とが、一方の容器体の第２側面部の第１領域が他方の容器体の第１側面部の第３領域の外側に被さった状態で対向し、他方の容器体の第１側面部の第１領域と一方の容器体の第２側面部の第３領域とが、他方の容器体の第１側面部の第１領域が一方の容器体の第２側面部の第３領域の外側に被さった状態で対向するとともに、他方の容器体の第２側面部の第１領域と一方の容器体の第１側面部の第３領域とが、他方の容器体の第２側面部の第１領域が一方の容器体の第１側面部の第３領域の外側に被さった状態で対向し、切目線を破断することにより第１容器体と第２容器体を分離して各容器体を１つの容器として使用する場合には、前面部を後面部側に回動させて、主板部の第１領域と第１側面部の第１領域と第２側面部の第３領域とからなる第１容器半体を主板部の第３領域と第１側面部の第３領域と第２側面部の第１領域とからなる第２容器半体に対向して重ね合わせ、前面部を後面部に被せた状態とし、前面部の回動片部に設けられた係止舌片を後面部の被係止部に係止することにより、容器体を包装状態とし、容器体の包装状態においては、第１側面部の第１領域と第１側面部の第３領域とが、第１側面部の第１領域が第１側面部の第３領域の外側に被さった状態で対向し、第２側面部の第１領域と第２側面部の第３領域とが、第２側面部の第１領域が第２側面部の第３領域の外側に被さった状態で対向し、第１側面部の第２領域及び第２側面部の第２領域は、主板部の第２領域に対して外側の折曲された状態となることを特徴とする。
【００１７】
第４の構成の包装容器においては、包装容器は、第１容器体及び第２容器体の一方を包装物を収納する身として使用する容器体として使用し、他方を該容器体の蓋として使用することができるので、１つの蓋付きの容器として使用できるとともに、２つの容器体が分離可能で、かつ、各容器体が身と蓋とを有する蓋付きの容器として使用することができ、包装容器に収納された被包装物を２つの容器体に取り分け、容器体と容器体とをそれぞれ身と蓋とを有する容器状として包装状態にして持ち運ぶことが可能となる。
【００１８】
また、包装容器を１つの容器として使用する場合には、一方の容器体の第１側面部の第１領域と他方の容器体の第２側面部の第３領域とが、一方の容器体の第１側面部の第１領域が他方の容器体の第２側面部の第３領域の外側に被さった状態で対向するとともに、一方の容器体の第２側面部の第１領域と他方の容器体の第１側面部の第３領域とが、一方の容器体の第２側面部の第１領域が他方の容器体の第１側面部の第３領域の外側に被さった状態で対向し、他方の容器体の第１側面部の第１領域と一方の容器体の第２側面部の第３領域とが、他方の容器体の第１側面部の第１領域が一方の容器体の第２側面部の第３領域の外側に被さった状態で対向するとともに、他方の容器体の第２側面部の第１領域と一方の容器体の第１側面部の第３領域とが、他方の容器体の第２側面部の第１領域が一方の容器体の第１側面部の第３領域の外側に被さった状態で対向するので、第１側面部と第２側面部が噛み合う状態となり、強固に嵌合される。
【００１９】
また、帯状部が設けられているので、包装容器を包装状態とした場合には、帯状部が他方の前面部の外側の面に接し、特に、帯状部が前面部本体に対して折曲するので、帯状部が外側の面に平行に該外側の面に接するので、前面側の封止を確実にすることができる。
【００２０】
また、第５には、上記第１から第４までのいずれかの構成において、前面部と第１側面部のいずれか一方から第１糊代部が連設され、第１糊代部が前面部と第１側面部の他方に接着され、前面部と第２側面部のいずれか一方から第２糊代部が連設され、第２糊代部が前面部と第２側面部の他方に接着され、後面部と第１側面部のいずれか一方から第３糊代部が連設され、第３糊代部が後面部と第１側面部の他方に接着され、後面部と第２側面部のいずれか一方から第４糊代部が連設され、第４糊代部が後面部と第２側面部の他方に接着されていることを特徴とする。
【発明の効果】
【００２１】
本発明に基づく包装容器によれば、包装容器は、第１容器体及び第２容器体の一方を包装物を収納する身として使用する容器体として使用し、他方を該容器体の蓋として使用することができるので、１つの蓋付きの容器として使用できるとともに、２つの容器体が分離可能で、かつ、各容器体が身と蓋とを有する蓋付きの容器として使用することができ、包装容器に収納された被包装物を２つの容器体に取り分け、容器体と容器体とをそれぞれ身と蓋とを有する容器状として包装状態にして持ち運ぶことが可能となる。
【００２２】
また、包装容器を１つの容器として使用する場合には、一方の容器体の第１側面部の第１領域と他方の容器体の第２側面部の第３領域とが、一方の容器体の第１側面部の第１領域が他方の容器体の第２側面部の第３領域の外側に被さった状態で対向するとともに、一方の容器体の第２側面部の第１領域と他方の容器体の第１側面部の第３領域とが、一方の容器体の第２側面部の第１領域が他方の容器体の第１側面部の第３領域の外側に被さった状態で対向し、他方の容器体の第１側面部の第１領域と一方の容器体の第２側面部の第３領域とが、他方の容器体の第１側面部の第１領域が一方の容器体の第２側面部の第３領域の外側に被さった状態で対向するとともに、他方の容器体の第２側面部の第１領域と一方の容器体の第１側面部の第３領域とが、他方の容器体の第２側面部の第１領域が一方の容器体の第１側面部の第３領域の外側に被さった状態で対向するので、第１側面部と第２側面部が噛み合う状態となり、強固に嵌合される。
【００２３】
また、前面部の幅が、後面部や第３領域の幅よりも長く形成されているので、一方の前面部４が他方の前面部４に覆い重なり、封止を確実にすることができる。
【図面の簡単な説明】
【００２４】
【図１】本発明の実施例に基づく包装容器の閉状態を示す前方斜視図である。
【図２】本発明の実施例に基づく包装容器の閉状態を示す後方斜視図である。
【図３】本発明の実施例に基づく包装容器の開状態を示す前方斜視図である。
【図４】本発明の実施例に基づく包装容器の展開図である。
【図５】図４の要部を抽出した展開図である。
【図６】図４の要部を抽出した展開図である。
【図７】包装容器を分離した状態を示す前方斜視図である。
【図８】容器体の閉状態を示す前方斜視図である。
【図９】容器体の閉状態を示す後方斜視図である。
【発明を実施するための形態】
【００２５】
本発明に基づく包装容器Ａは、図１〜図６に示すように構成され、容器体１と、容器体１に接続された容器体２とを有している。包装容器Ａは、１枚のシート状のブランク（具体的には、段ボール（特に、両面段ボール）、厚紙等）により形成されている。容器体１と容器体２のうちの一方が第１容器体に当たり、他方が第２容器体に当たる。なお、図４〜図６の展開図においては、包装容器Ａの外側の面が表れているので、図４〜図６の右側が容器とした場合の左側面側となり、図４〜図６の左側が容器とした場合の右側面側となる。
【００２６】
容器体１と容器体２とは同一の構成であるので、容器体１を例に取って説明すると、容器体１は、方形状（前後方向に縦長長方形状）の主板部３と、主板部３の正面側の辺部３−２から連設された前面部４と、主板部３の左側面側の辺部３−１から連設された側面部５と、主板部３の右側面側の辺部３−３から連設された側面部７と、主板部３の背面側の辺部３−４から連設された後面部６と、前面部４の左右両側から連設された糊代部８と、後板部６の左右両側から連設された糊代部８とを有している。また、容器体１において、主板部３の第１領域３ａと、側面部５の第１領域２２と、側面部７の第３領域２１と、前面部４と、前面部４から連設された糊代部８とで、容器半体（第１容器半体）１−１が形成され、また、主板部３の第３領域３ｃと、側面部５の第３領域２１と、側面部７の第１領域２２と、後面部６と、後面部６から連設された糊代部８とで、容器半体（第２容器半体）１−２が形成される。また、主板部３の第２領域３ｂと側面部５の第２領域１９と側面部７の第２領域１９とで、中間部１−３が形成される。
【００２７】
ここで、主板部３には、左右方向に互いに平行な折れ線（第１折れ線）１３ａと折れ線（第２折れ線）１４ａが間隔を介して形成され、主板部３は、正面側の辺部３−２と折れ線１３ａ間の領域である第１領域３ａと、折れ線１３ａと折れ線１４ａ間の領域である第２領域３ｂと、折れ線１４ａと背面側の辺部３−４間の領域である第３領域３ｃとに区画されている。折れ線１３ａ、１４ａは、主板部３の正面側の辺部３−２や背面側の辺部３−４と平行に形成され、正面側の辺部３−２と折れ線１３ａ間の長さｈ１と背面側の辺部３−４と折れ線１４ａ間の長さｈ３とは同一に形成され、長さｈ１及びｈ３は、折れ線１３ａと折れ線１４ａ間の長さｈ２よりも長く形成されている。
【００２８】
また、前面部４は、主板部３の正面側の辺部３−２から折れ線を介して連設された前面部本体４ａと、前面部本体４ａの主板部３側とは反対側の辺部から折れ線を介して連設された帯状部４ｂと、帯状部４ｂから折れ線を介して連設された回動片部４ｃとを有している。前面部本体４ａと帯状部４ｂとで、主構成部４Ａが形成される。
【００２９】
ここで、前面部本体４ａは、主板部３側の基端側から先端にいくほど幅広となる台形形状（具体的には、等脚台形形状）を呈し、前面部本体４ａの幅ｈ１１は、側面部５の第３領域２１の幅ｈ２２と同一（略同一としてもよい）に形成されている。
【００３０】
この前面部本体４ａには、容器体２の前面部４における係止舌片２７を係合するための被係止部２９が形成されている。つまり、被係止部２９は、終始端を主板部３側（前壁部４の基端側）に向けたコ字状の切込み２９ａと、該切込み２９ａの両側の端部間に設けられた折れ線２９ｂとにより構成されている。
【００３１】
また、帯状部４ｂは、前面部本体４ａの主板部３側とは反対側の辺部に沿って帯状に形成され（先端側の中央には、略Ｕ字状の切込み２６ａを形成することにより凹部が形成されている）、その先端側の両側の角部４ｂ−１、４ｂ−２には、アールが形成されて湾曲して形成されている。この帯状部４ｂは、容器体２を容器体１に対して被覆した状態とした場合や、容器体１を容器体２に対して被覆した状態とした場合に、容器体２の前面部４の前面部本体４ａと重なり合い、また、容器体１を容器体２から分離し、容器半体１−１を容器半体１−２に被覆した場合に、後面部６と重なり合う。
【００３２】
また、回動片部４ｃは、帯状部４ｂの左右方向における中央領域から先端側に一対の折れ線２７ａを介して連設され、折れ線２７ａよりも外側に突出した突状部２６と、突状部２６の基端側から突出した係止舌片２７とを有している。すなわち、一対の折れ線２７ａ間には、略Ｕ字状の切込み２６ａが形成され、折れ線２７ａの延長線と切込み２６ａに囲まれた領域が係止舌片２７となる。つまり、切込み２６ａは、回動片部４ｃと帯状部４ｂの境界位置に形成されている。この係止舌片２７の左右方向の長さは、コ字状の切込み２９ａの左右方向の長さ以下の長さに形成されている。なお、回動片部４ｃを回動しやすいように、一対の折れ線２７ａに沿って、直線状の切込みＫ２７が形成されている。回動片部４ｃは、折れ線２７ａを回動軸として帯状部４ｂに対して回動する。
【００３３】
また、糊代部８は、前面部本体４ａの左右両側の辺部からそれぞれ連設され、台形形状を呈している。左側面側の糊代部（第１糊代部）８は、側面部５の第１領域２２と切込みを介して隣接し、右側面側の糊代部（第２糊代部）８は、側面部７の第３領域２１と切込みを介して隣接している。
【００３４】
また、側面部（第１側面部）５は、正面側の領域と背面側の領域間に段差が形成された形状を呈し、主板部３の長辺側の辺部３−１と、辺部５−１と、辺部５−２と、辺部５−３と、辺部５−４と、辺部５−５と、辺部５−６と、辺部５−７とで囲まれた形状を呈している。ここで、辺部５−１は、辺部３−１の背面側の端部から鈍角（つまり、角度α３が鈍角）をなして形成された直線状を呈し、辺部５−２は、辺部５−１の主板部３側と反対側の端部から連設され、辺部３−１に平行に形成された直線状を呈し、辺部５−３は、辺部５−２の辺部５−１側とは反対側の端部から形成され、正面側にいくほど辺部３−１から遠ざかるように傾斜した直線状を呈し、辺部５−４は、辺部５−３と辺部５−５間の角部にアールを形成するように曲線状に形成され、辺部５−５は、辺部５−４の辺部５−３側と反対側の端部から連設され、辺部３−１と平行な直線状を呈し、辺部５−６は、辺部５−５と辺部５−７間の角部にアールを形成するように曲線状に形成され、辺部５−７は、辺部５−６の辺部５−５側と反対側の端部から連設されるとともに、辺部３−１の正面側の端部から鈍角（つまり、角度α４が鈍角）をなして形成された直線状を呈している。なお、辺部５−２と辺部５−３とが接する角部５Ｐの位置は、辺部３−１の前後方向の中央位置３−１Ｐと前後方向（Ｙ１−Ｙ２方向）において一致している。
【００３５】
また、側面部５には、折れ線１３ａの端部と角部５Ｐ間に形成された折れ線（第３折れ線）１３ｂと、折れ線１４ａの端部と角部５Ｐ間に形成された折れ線（第４折れ線）１４ｂとが形成され、折れ線１３ｂと折れ線１４ｂとはともに辺部３−１に対して傾斜して形成され、左右方向の仮想上の直線に対して対称に形成されている。つまり、折れ線１３ｂと折れ線１４ｂとは、側面部５の先端側に向けて収束状に斜めに形成されている。これにより、側面部５は、折れ線１３ｂよりも正面側の領域である第１領域２２と、折れ線１３ｂと折れ線１４ｂ間の領域である第２領域１９と、折れ線１４ｂよりも背面側の領域である第３領域２１とに区画されている。第２領域１９は、二等辺三角形（具体的には、直角二等辺三角形）を呈している。
【００３６】
側面部５は、以上のように形成されているので、第１領域２２の幅ｈ２１（辺部３−１と辺部５−５間の幅）（第１領域における主板部側の端部である基端から先端までの幅）は、第３領域２１の幅ｈ２２（辺部３−１と辺部５−２間の幅）（第３領域における主板部側の端部である基端から先端までの幅）よりも長く形成されている。つまり、第１領域２２が第３領域２１よりも幅広となっていて、第１領域２２が幅広部であり、第３領域が幅狭部となっている。
【００３７】
また、後面部６は、主板部３の背面側の辺部３−４から折れ線を介して連設され、主板部３側の基端側から先端にいくほど幅広となる台形形状（具体的には、等脚台形形状）を呈し、後面部６の幅ｈ３１（後面部における主板部側の端部である基端から先端までの幅）は、前面部本体４ａの幅ｈ１１と同一（略同一としてもよい）に形成されている。
【００３８】
この後面部６には、容器体１の前面部４における係止舌片２７を係合するための被係止部３０が形成されている。つまり、被係止部３０は、終始端を主板部３側（後面部６の基端側）に向けたコ字状の切込み３０ａと、該切込み３０ａの両側の端部間に設けられた折れ線３０ｂとにより構成されている。この被係止部３０は、被係止部２９と同一の構成であり、係止舌片２７を差込み可能に形成されている。
【００３９】
つまり、後面部６は、前面部本体４ａと同一の構成であり、包装容器Ａの展開状態において、後面部６と前面部本体４ａとは線対称に形成されている。
【００４０】
また、糊代部８は、後面部６の左右両側の辺部からそれぞれ連設され、台形形状を呈している。左側面側の糊代部（第３糊代部）８は、側面部５の第３領域２１と切込みを介して隣接し、右側面側の糊代部（第４糊代部）８は、側面部７の第１領域２２と切込みを介して隣接している。
【００４１】
なお、糊代部８は、前面部４や後面部６から連設されるものとしたが、側面部５や側面部７から連設させて、前面部４や後面部６に接着する構成としてもよい。
【００４２】
また、側面部（第２側面部）７は、側面部５と点対称である以外は同一の構成である。つまり、側面部７は、正面側の領域と背面側の領域間に段差が形成された形状を呈し、折れ線１４ｃよりも背面側の領域である第１領域２２と、折れ線１３ｃと折れ線１４ｃ間の領域である第２領域１９と、折れ線１３ｃよりも正面側の領域である第３領域２１とに区画されている。第２領域１９は、二等辺三角形を呈している。つまり、包装容器Ａの展開状態において、折れ線（第６折れ線）１４ｃは、折れ線１４ｂと線対称に形成され、折れ線（第５折れ線）１３ｃは、折れ線１３ｂと線対称に形成されている。第１領域２２の幅ｈ４１（第１領域における主板部側の端部である基端から先端までの幅）は、第３領域２１の幅ｈ４２（第３領域における主板部側の端部である基端から先端までの幅）よりも長く形成されている。つまり、第１領域２２が第３領域２１よりも幅広となっていて、第１領域２２が幅広部であり、第３領域が幅狭部となっている。
【００４３】
なお、前面部４の両側の辺部が辺部３−２となす角度（鈍角）α１及びα２と、側面部５の両側の辺部が辺部３−１となす角度（鈍角）α３及びα４と、後面部６の両側の辺部が辺部３−４となす角度（鈍角）α５及びα６と、側面部７の両側の辺部が辺部３−３となす角度（鈍角）α７及びα８とは、同一に形成されている。つまり、α１＝α２＝α３＝α４＝α５＝α６＝α７＝α８となっている。
【００４４】
また、幅ｈ１１と幅ｈ２２と幅ｈ４２と幅ｈ３１とは、同一（略同一としてもよい）に形成されている。
【００４５】
また、折れ線１３ａと折れ線１３ｂと折れ線１３ｃとは、連続して形成され、折れ線１３ａと折れ線１３ｂと折れ線１３ｃとで折れ線１０ａが形成され、また、折れ線１４ａと折れ線１４ｂと折れ線１４ｃとは、連続して形成され、折れ線１４ａと折れ線１４ｂと折れ線１４ｃとで折れ線１０ｂが形成される。
【００４６】
以上のように、側面部５と側面部７においては、幅の大きい大壁部としての第１領域２２と、幅の小さい小壁部としての第３領域２１とが対向するように形成され、包装容器Ａを包装状態にした場合には、包装容器Ａの両側の側面は、互い違いに噛み合うようになっている。
【００４７】
次に、容器体２は、容器体１と同一の構成となっている。つまり、容器体２は、主板部３と、前面部４と、側面部５と、側面部７と、後面部６と、糊代部８とを有している。
【００４８】
主板部３は、左右方向に互いに平行な折れ線１３ａ、１４ａが間隔を介して区画され、主板部３は、第１領域３ａと、折れ線１３ａと折れ線１４ａ間の領域である第２領域３ｂと、第３領域３ｃとに区画されている。
【００４９】
また、前面部４は、主板部３の辺部３−２から折れ線を介して連設された前面部本体４ａと、前面部本体４ａの主板部３側とは反対側の辺部から折れ線を介して連設された帯状部４ｂと、帯状部４ｂから折れ線を介して連設された回動片部４ｃとを有している。前面部本体４ａには、容器体１の被係止部２９と同一の構成の被係止部２９が形成されている。
【００５０】
また、側面部５は、主板部３の正面側の領域と背面側の領域間に段差が形成された形状を呈し、折れ線１３ｂと折れ線１４ｂとにより、第１領域２２と第２領域１９と第３領域２１とに区画されている。
【００５１】
また、後面部６には、容器体１の被係止部３０と同一の構成の被係止部３０が形成されている。
【００５２】
また、側面部７は、容器体２の側面部５と点対称に構成され、折れ線１３ｃと折れ線１４ｃとにより、第１領域２２と第２領域１９と第３領域２１とに区画されている。
【００５３】
また、容器体１と容器体２とは、後面部６の先端辺部６ａ（辺部３−４側とは反対側の辺部）同士で連設され、容器体１の後面部６の先端辺部６ａから折れ線を介して容器体２の後面部６が連設されている。また、この先端辺部６ａに沿って、ミシン目状の切目線が形成され、この切目線を破断することにより、容器体１と容器体２とを分離することができる。なお、容器体１の後面部６の先端辺部６ａと容器体２の後面部６の先端辺部６ａとは共通している。
【００５４】
なお、容器体２においては、主板部３の第１領域３ａと、側面部５の第１領域２２と、側面部７の第３領域２１と、前面部４と、前面部４から連設された糊代部８とで、容器半体２−１が形成され、また、主板部３の第３領域３ｃと、側面部５の第３領域２１と、側面部７の第１領域２２と、後面部６と、後面部６から連設された糊代部８とで、容器半体２−２が形成され、また、主板部３の第２領域３ｂと側面部５の第２領域１９と側面部７の第２領域１９とで、中間部２−３が形成される。
【００５５】
なお、容器体１及び容器体２において、切込み２６ａ、切込みＫ２７、切込み２９ａ、３０ａ、先端辺部６ａに沿って形成された切目線は、ブランクの一方の面から他方の面まで貫通して形成されている。
【００５６】
包装容器Ａが組み立てられた状態では、容器体１、容器体２ともに、前面部４の両側から連設された一対の糊代部８における一方は、側面部５（具体的には、第１領域２２）の内側の面に接着され、他方は、側面部７（具体的には、第３領域２１）の内側の面に接着され、また、後面部６の両側から連設された一対の糊代部８における一方は、側面部５（具体的には、第１領域２２）の内側の面に接着され、他方は、側面部７（具体的には、第３領域２１）の内側の面に接着されている。これにより、容器体１、容器体２ともに、主板部３側から前面部４、側面部５、７、後面部６の先端側にいくに従い内径が大きくなるように、前面部４、側面部５、７、後面部６が主板部３に対して傾斜して形成される。また、容器体１と容器体２の一方は他方に対して後面部６の先端辺部６ａを介して回動可能に形成されている。
【００５７】
なお、包装容器Ａは、組み立てられた状態の包装容器Ａを開状態として２つの主板部３を同一平面上とした状態（図３において、容器体１の主板部３と容器体２の主板部３とを同一平面上とした状態）や図４に示す展開状態において、点対称の構成となっている。
【００５８】
次に、包装容器Ａの使用状態について説明する。包装容器Ａを１つの容器として使用する場合には、容器体１と容器体２の一方に被包装物を身（収納する容器）として使用し、他方を蓋として使用する。すなわち、容器体１と容器体２とは、同一の構成であるので、どちらを身、或いは、蓋として使用してもよいが、ここでは容器体１を身とし、容器体２を蓋として使用する場合を説明する。
【００５９】
まず、図３に示すように、容器体２を容器体１に対して開いた状態として、容器体１に被包装物（例えば、フライドポテト、チキンナゲット等）を収納する。
【００６０】
その後、後面部６の先端辺部６ａを回動軸として、容器体２を容器体１に対して回動させ、容器体１の開口部と容器体２の開口部を対向させた状態で容器体２を容器体１に重ねて、容器体２により容器体１を被覆した状態とする。
【００６１】
すなわち、容器体１の側面部５及び側面部７における第３領域２１の外側に容器体２の側面部５及び側面部７における第１領域２２が覆い重なるとともに、容器体２の側面部５及び側面部７における第３領域２１の外側に容器体１の側面部５及び側面部７における第１領域２２が覆い重なり、容器体１と容器体２とは、側面部５と側面部７とが前後左右で互い違いに相互に噛み合い、強固に嵌合される。つまり、容器体１−１の側面部５の第１領域２２と容器体１−２の側面部７の第３領域２１とが、該第１領域２２が該第３領域２１の外側に被さった状態で対向するとともに、容器体１−１の側面部７の第１領域２２と容器体１−２の側面部５の第３領域２１とが、該第１領域２２が該第３領域２１の外側に被さった状態で対向し、また、容器体１−２の側面部５の第１領域２２と容器体１−１の側面部７の第３領域２１とが、該第１領域２２が該第３領域２１の外側に被さった状態で対向するとともに、容器体１−２の側面部７の第１領域２２と容器体１−１の側面部５の第３領域２１とが、該第１領域２２が該第３領域２１の外側に被さった状態で対向する。
【００６２】
また、前面部４側については、下側となる容器体１の前面部４の外側に上側となる容器体２の前面部４を重ねる状態とし、容器体２の前面部４の帯状部４ｂが容器体１の前面部４の前面部本体４ａの外側の面に当接させ、これにより、容器体１の前面部４の帯状部４ｂが容器体２の前面部４の前面部本体４ａの内側の面に当接するが、上側となる容器体２の前面部４の外側に下側となる容器体１の前面部４を重ねる状態としてもよい。
【００６３】
このように、容器体１と容器体２を重ねた状態では、側面においては、第３領域２１に第１領域２２が覆い重なり、前面部４側では、一方の前面部４が他方の前面部４に覆い重なることにより、容器体１、２の周囲がより確実に封止される。特に、帯状部４ｂが前面部本体４ａに対して折曲するので、帯状部４ｂが他方の前面部４の前面部本体４ａの外側の面に平行に該外側の面に接するので、前面側の封止を確実にすることができる。
【００６４】
次に、容器体１の前面部４の被係止部２９に、容器体２の係止舌片２７を差し込み、係止舌片２７と被係止部２９とを係合させ、容器体２の開動を制止し、持ち運びを可能とする。以上のようにして、包装容器Ａが包装状態となる。
【００６５】
なお、係止舌片２７の差込み操作をする際には、まず、回動片部４ｃの突状部２６側を折れ線２７ａを軸に外側へ揺動させると、係止舌片２７は内側へ回動し、前面部４の外側の面に対して起立した状態となるので、被係止部３０への差込みが容易となり、差込み後に、突状部２６を内側へ回動させれば、係止舌片２７は、容器体１の前面部４の前面部本体４ａの内側面に沿って重なり、係合がより確実となる。
【００６６】
そして、被包装物を取り出す際は、先ず容器体２の前面部４の回動片部４ｃにおける突状部２６の先端側を持ち上げ、外側に回動させて、係止舌部２７と被係止部２９の係合を解除し、その後、容器体２を回動させて、容器体１の開口を開放する。
【００６７】
また、被包装物が食品で、複数人で食する等容器体１と容器体２をともに被包装物を収納する容器として使用する場合には、後面部６の先端辺部６ａに沿って形成された切目線を破断し、図７に示されるように、容器体１と容器体２に分離し、容器体１内の被包装物の一部を容器体２に取り分ける。
【００６８】
また、容器体１と容器体２のそれぞれに収納された被包装物を包装する場合（容器体１と容器体２のそれぞれを１つの容器として使用する場合）には、容器体を二つ折りにし、図８、図９に示すように、容器半体１−１（２−１）を容器半体１−２（２−２）に被覆した状態として被包装物を包装することにより容器体の包装状態とする。
【００６９】
容器体１と容器体２とは同一の構成であり、容器体を包装状態とする工程も同一であるので、容器体１を例に取って説明すると、容器半体１−１を中間部１−３を介して容器半体１−２側に回動させることにより、容器半体１−１が中間部１−３に対して折曲し（つまり、主板部３においては、第１領域３ａが第２領域３ｂに対して折曲し、側面部５においては、第１領域２２が第２領域１９に対して折曲し、側面部７においては、第３領域２１が第２領域１９に対して折曲する）、さらに、中間部１−３が容器半体１−２に対して折曲して（つまり、主板部３においては、第２領域３ｂが第３領域３ｃに対して折曲し、側面部５においては、第２領域１９が第３領域２１に対して折曲し、側面部７においては、第２領域１９が第１領域２２に対して折曲する）、容器半体１−１が容器半体１−２を覆う状態となり（つまり、容器半体１−１が容器半体１−２に対して閉状態となる）、容器体１が二つ折りの状態となる。なお、容器体１を二つ折りの状態とする場合には、予め容器体１の包装状態で底面側となる第３領域３ｃ側に被包装物を集めておくことが好ましい。
【００７０】
次に、容器半体１−１が容器半体１−２を覆う状態としたら、係止舌片２７を被係止部３０に差し込んで係止させることにより、容器体１の二つ折りの状態を保持させて容器体を包装状態とする。
【００７１】
なお、容器体の包装状態では、側面部７の第３領域２１の外側に側面部７の第１領域２２が覆い重なり、側面部５の第１領域２２が側面部５の第３領域２１の外側に覆い重なり、前面部４の帯状部４ｂが後面部６の外側に覆い重なるので、容器体１の周囲がより確実に封止される。つまり、側面部５の第１領域２２と側面部の第３領域２１とが、側面部５の第１領域２２が側面部５の第３領域２１の外側に被さった状態で対向し、側面部７の第１領域２２と側面部７の第３領域２１とが、側面部７の第１領域２２が側面部７の第３領域２１の外側に被さった状態で対向する。
【００７２】
また、容器体の包装状態では、側面部５と側面部７は、第２領域１９が主板部３の第２領域３ｂに対して外側に折曲するとともに第３領域２１の内側に折り返された状態となって、折り畳まれた状態となっているが、第２領域１９は二等辺三角形に形成されているので、容器半体１−１を容器半体１−２側に回動させる操作を行なうことにより、２つの第２領域１９が主板部３の第２領域３ｂに対して外側に折曲するので、側面部５と側面部７の折り畳みを容易とすることができる。
【００７３】
以上のようにして、容器体１において、容器半体１−２を身として使用し、容器半体１−１を蓋として使用して包装状態とすることができる。
【００７４】
なお、側面部５と側面部７において、第２領域１９は二等辺三角形であるとしたが、等脚台形の形状としてもよい。
【００７５】
上記のように、容器体１と容器体２のそれぞれを包装状態とすることができるので、例えば、容器体１と容器体２に取り分けられた食品をそれぞれ包装して持ち運ぶことができ、また、容器体１や容器体２に取り分けられた食品を食べ残したとしても、包装して持ち帰ることができる。
【００７６】
以上のように、包装容器Ａによれば、包装容器Ａは、容器体１及び容器体２の一方を被包装物を収納する身として使用する容器体として使用し、他方を該容器体の蓋として使用することができるので、１つの蓋付きの容器として使用できるとともに、２つの容器体が分離可能で、かつ、各容器体が身と蓋とを有する蓋付きの容器として使用することができ、包装容器Ａに収納された被包装物を２つの容器体１、２に取り分け、容器体１と容器体２とをそれぞれ身と蓋とを有する容器状として包装状態にして持ち運ぶことが可能となる。
【００７７】
なお、上記の説明において、図４〜図６の展開図においては、包装容器Ａの外側の面が表れ、図４〜図６の右側が容器とした場合の左側面側となり、図４〜図６の左側が容器とした場合の右側面側となるとしたが、図４〜図６の展開図において、包装容器Ａの内側の面が表れているものとし、図１〜３に示す構成に対して左右対称の構成としてもよい。つまり、その場合には、例えば、図３における容器体１では、右側面側の側面部において、正面側に第１領域（つまり、幅広の部分）が存在するとともに背面側に第３領域（つまり、幅狭の部分）が存在し、左側面側の側面部において、正面側に第３領域が存在するとともに背面側に第１領域が存在することになる。
【符号の説明】
【００７８】
Ａ  包装容器
１、２  容器体
１−１、１−２、２−１、２−２  容器半体
１−３  中間部
３  主板部
３ａ、２２  第１領域
３ｂ、１９  第２領域
３ｃ、２１  第３領域
４  前面部
４ａ  前面部本体
４ｂ  帯状部
４ｃ  回動片部
５、７  側面部
６  後面部
８  糊代部
２６  突状部
２７  係止舌片
２９、３０  被係止部
１０ａ、１０ｂ、１３ａ、１３ｂ、１３ｃ、１４ａ、１４ｂ、１４ｃ  折れ線
【図１】
2014162547.tif 000003
【図２】
2014162547.tif 000004
【図３】
2014162547.tif 000005
【図４】
2014162547.tif 000006
【図５】
2014162547.tif 000007
【図６】
2014162547.tif 000008
【図７】
2014162547.tif 000009
【図８】
2014162547.tif 000010
【図９】
2014162547.tif 000011